(57)【要約】【課題】簡単な装置構成で、容易に、かつ確実に過昇温を防ぐことができる定着装置を提供すること。【解決手段】複写機に設けられた定着装置４００においては、熱ローラ（定着ローラ４１０）と、前記熱ローラとともに回転する圧ローラ（加圧ローラ４２０）と、前記熱ローラの周面の一部を電磁誘導により加熱する加熱手段（ＩＨコイル４１１）と、前記加熱手段に電力を供給する電力線（配線４３０）上に設けられ、当該電力線が前記加熱手段に電力を供給するか否かを切り替えるスイッチ（スイッチ４３０ｓ）と、前記熱ローラが回転を停止したときに前記スイッチを切り替えて、前記加熱手段への電力供給を停止させる切替機構とを（ギア４２０ｇ、ワンウェイクラッチ、トルクリミッタ、ラック部４１５、バネ４１５ｐ）備える。【選択図】図２
2007322674.tif 000002
【特許請求の範囲】
【請求項１】
熱ローラと、
前記熱ローラとともに回転する圧ローラと、
前記熱ローラの周面の一部を電磁誘導により加熱する加熱手段と、
前記加熱手段に電力を供給する電力線上に設けられ、当該電力線が前記加熱手段に電力を供給するか否かを切り替えるスイッチと、
前記熱ローラ又は前記圧ローラの少なくとも一方が回転を停止したときに前記スイッチを切り替えて、前記加熱手段への電力供給を停止させる切替機構とを備える定着装置。
【請求項２】
前記切替機構は、
前記スイッチの一方の接点を常時他方の接点から離れる方向へと付勢する付勢手段と、
前記熱ローラ又は前記圧ローラの少なくとも一方の回転力を受けて、当該回転力を受けるローラが回転する間、前記付勢手段の付勢力に抗して前記一方の接点を押圧して前記他方の接点へと押し付けて、前記スイッチをオン状態にするトルク伝達機構とを備える請求項１記載の定着装置。
【請求項３】
前記トルク伝達機構は、前記一方の接点を前記他方の接点へと押圧する押圧力を予め設定された値までに制限するトルクリミッタを備える請求項２記載の定着装置。
【請求項４】
前記トルク伝達機構は、前記回転力を受けるローラが停止した場合、当該ローラから前記一方の接点への力の伝達を遮断するワンウェイクラッチを備える請求項２記載の定着装置。
【請求項５】
請求項１〜４のいずれかに記載の定着装置を備える画像形成装置。
【発明の詳細な説明】
【技術分野】
【０００１】
本発明は、定着装置および画像形成装置に関する。特に、熱ローラ、前記熱ローラとともに回転する圧ローラ、および、前記熱ローラの周面の一部を電磁誘導により加熱する加熱手段を有する定着装置およびかかる定着装置を有する画像形成装置に関する。
【背景技術】
【０００２】
従来より、印刷装置、複写機、ファックス、複合機等の画像形成装置においては、トナー像が形成された記録紙を加熱してトナー像を記録紙へと定着させる定着装置が設けられている。定着装置においては、記録紙の搬送につれて定着ローラ等の発熱部材が回転されて、所定領域を回転につれて通過する発熱部材の各部分が、コイルからの磁束により誘導加熱されることで、記録紙の各箇所に伝達される熱が順次、当該箇所を通過する発熱部材の各部分で発生する。
【０００３】
ここで、かかる定着ローラ等の発熱部材が何らかの不測の原因によって停止することがある。たとえば、発熱部材の駆動を制御する制御装置の動作不良や、発熱部材を駆動する駆動機構におけるギアロックなどの動作不良や、記録紙の紙詰まりなどによって停止することがある。こうした発熱部材が停止する場合には、そのときに前述の領域を通過する発熱部材の部分が長時間そこに長く停止して著しく長く加熱されることで、過昇温となってしまうおそれが生じる。かかる過昇温を回避する技術として、特許文献１〜５記載の技術がある。
【０００４】
特許文献１では、温度センサを設けて、検出された温度に応じて冷却ファンを制御する技術を示している。
【０００５】
特許文献２では、温度に応じて開閉するサーモスタットを設けて、温度に応じて、加熱に消費する電流を制御する技術を示している。
【０００６】
また、特許文献３の技術では、定着温度の目標値近傍にキューリー点を有する導電層を発熱部材に形成し、このキューリー点の温度を超えて発熱が起きることを抑制している。
【０００７】
また、特許文献４では、発熱部材へと磁束が達しないように磁束を遮蔽することができる遮蔽部材を定着装置に設けている。この遮蔽部材は、発熱部材に対して機械的に連結されており、発熱部材の変位に連動されている。この遮蔽部材は、発熱部材が駆動されている間は、磁束を遮蔽しない位置に移動して、そこで係止される。そして、発熱部材が何らかの原因で停止すると、この遮蔽部材は、磁束が発熱部材に達しないようにする位置へとスプリングの力によって移動されて、これにより過昇温が防がれるようになっている。
【０００８】
特許文献５記載の定着装置においては、上述の特許文献４記載の技術のように遮蔽部材を動かすのではなく、コイル等を備える加熱手段を動かすものとして、発熱部材が停止すれば、電磁誘導で発熱が起きない位置までこの加熱手段を変位させることにより、過昇温を防いでいる。
【０００９】
なお、特許文献４記載の技術においては、上記した遮蔽部材の変位を、トルクリミッタにより制御するように書いている。また、特許文献５においては、トルクリミッタとワンウェイクラッチとにより加熱手段の変位をするように書いている。
【特許文献１】特開２００５−３１５９６１号公報
【特許文献２】特開２００５−１８２０６８号公報
【特許文献３】特開２００６−１１１４４号公報
【特許文献４】特開２００６−１１２９４号公報
【特許文献５】特開２００５−７０３７６号公報
【発明の開示】
【発明が解決しようとする課題】
【００１０】
特許文献４，５記載の技術では、発熱部材に連動させて、遮蔽部材や加熱手段を変位させているので、特許文献１，２記載の技術と比べて、温度センサやサーモスタットまで発熱部材から熱が伝わるまでの遅延時間の間に温度上昇がすすんでしまうということがなく、過昇温を確実に防ぐことができる。温度センサ等を発熱部材に近づければかかる遅延時間は少なくなるが、装置構成の制約などのために自ずと限界があり、必ずある程度の遅延時間が生じて、その分だけ、過昇温が起き易くなる。
【００１１】
また、同じく特許文献４，５記載の技術であれば、特許文献３記載の技術と比べても、特別なキューリー点を備える材料を必要とせずに、簡単に過昇温を防ぐことができる。
【００１２】
ここで、発熱部材を駆動する駆動モータからの動作信号や、発熱部材の回転等の変位を検知する変位検知センサからの信号に応じて、制御装置が遮蔽部材や加熱手段の変位を制御するようにさせることもできるが、この場合と比べても、特許文献４，５のように発熱部材の変位に機械的に直接、連動させて遮蔽部材等を変位させれば、制御装置の故障等の不具合に関わりなく確実に過昇温を防ぐことができる。
【００１３】
このように、特許文献４，５記載の技術は優れている。
【００１４】
しかしながら、発熱部材に与えられる磁束を遮蔽する遮蔽部材を設けることや、あるいは、この遮蔽部材や上述した特許文献５における加熱手段を変位させたりする変位機構を設けることは、簡単ではなかった。装置構成が複雑になったり大掛かりになったり、また、定着装置の他の部分の設計に制約を生じさせてしまったりするためである。特に、加熱ローラ等の発熱部材の内部に、磁束を生じさせるコイル等の加熱部材を内蔵させたいときには、かかる内蔵された加熱部材を適切に変位させたり、かかる発熱部材が発する磁束をその外側にある発熱部材に対して遮蔽する遮蔽部材を設け、かつその遮蔽部材を変位可能にすることは事実上、不可能である。
【００１５】
本発明は、上記した点に鑑みてなされたものであり、容易に、簡単な装置構成で、かつ確実に過昇温を防ぐことができるようにすることを目的とする。
【課題を解決するための手段】
【００１６】
請求項１記載の定着装置は、熱ローラと、前記熱ローラとともに回転する圧ローラと、前記熱ローラの周面の一部を電磁誘導により加熱する加熱手段と、前記加熱手段に電力を供給する電力線上に設けられ、前記加熱手段に当該電力線が電力を供給するか否かを切り替えるスイッチと、前記熱ローラ又は前記圧ローラの少なくとも一方が回転を停止したときに前記スイッチを切り替えて、前記加熱手段への電力供給を停止させる切替機構とを備える定着装置である。
【００１７】
この構成であれば、熱ローラとともに圧ローラが回転されていて、前記熱ローラの周面の一部が電磁誘導により加熱手段に加熱される。そして、前記加熱手段に電力を供給する電力線上に設けられたスイッチにより、当該電力線が前記加熱手段に電力を供給するか否かが切り替えられるようになっていて、前記熱ローラ又は前記圧ローラの少なくとも一方が回転を停止したときに、切替機構により、前記スイッチが切り替えられて、前記加熱手段への電力供給が停止される。
【００１８】
したがって、熱ローラが停止すると、熱ローラ又は圧ローラの少なくとも一方が回転を停止したときに、切替機構により、機械的にスイッチがオフ状態に切り替えられることで過昇温が防がれ、スイッチがオフ状態に切り替えられるという簡単な構成により確実に過昇温を防ぐことができるようになる。しかも、この構成であれば、特別なキューリー点を有する材料等が必要なく、容易に過昇温を防ぐことができる。
【００１９】
請求項２記載の定着装置は、前記切替機構は、前記スイッチの一方の接点を常時他方の接点から離れる方向へと付勢する付勢手段と、前記熱ローラ又は圧ローラの少なくとも一方からの回転力を受けて、当該回転力を受けるローラが回転する間、前記付勢手段の付勢力に抗して前記一方の接点を押圧して前記他方の接点へと押し付けて、前記スイッチをオン状態にするトルク伝達機構とを備える請求項１記載の定着装置である。
【００２０】
この構成であれば、付勢手段により、前記スイッチの一方の接点が常時他方の接点から離れる方向へと付勢されており、前記熱ローラ又は圧ローラの少なくとも一方からトルク伝達機構が回転力を受けて、当該回転力を受けるローラが回転する間は、前記付勢手段の付勢力に抗して前記一方の接点がこのトルク伝達機構に押圧されて前記他方の接点へと押し付けられ、これにより、前記スイッチがオン状態にされる。こうして、簡単な構成により切替機構を実現することができる。
【００２１】
請求項３記載の定着装置は、前記トルク伝達機構は、前記一方の接点を前記他方の接点へと押圧する押圧力を予め設定された値までに制限するトルクリミッタを備える請求項２記載の定着装置である。
【００２２】
このような構成であれば、前記一方の接点や前記他方の接点などの構成を壊してしまうことなく、予め設定された値までに制限された力により、前記一方の接点が前記他方の接点へと適切な力で押圧されるようにすることができる。
【００２３】
なお、トルクリミッタは、たとえば、前記熱ローラや前記圧ローラから力を受けるトルク入力部と、トルク入力部から摩擦を受けることで、前記一方の接点へと伝達するトルクを得るトルク出力部とにより構成されているものとしてもよい。
【００２４】
請求項４記載の定着装置は、前記トルク伝達機構は、前記回転力を受けるローラが停止した場合、当該ローラから前記一方の接点への力の伝達を遮断するワンウェイクラッチを備える請求項２記載の定着装置である。
【００２５】
この構成であれあれば、当該トルク伝達機構が前記回転力を受けるローラが停止した場合、当該ローラから前記一方の接点への力の伝達がワンウェイクラッチにより遮断されて、前記一方の接点が前記他方の接点から離れることをローラが妨げることがなくなることにより、迅速、確実に前記他方の接点から前記一方の接点が離れて、スイッチをオフ状態に切り替えることができ、過昇温を確実に防ぐことができる。
【００２６】
なお、ワンウェイクラッチは、前記ローラから前記一方の接点への力の伝達を遮断することにより、前記一方の接点を遊動させるものとしてもよい。
【００２７】
請求項５記載の定着装置は、請求項１〜４のいずれかに記載の定着装置を備える画像形成装置である。
【００２８】
こうして、上記した各効果を奏する定着装置を有する画像形成装置を提供することができる。
【発明の効果】
【００２９】
本発明によれば、簡単な装置構成で、容易にかつ確実に過昇温を防ぐことができるようになる。
【発明を実施するための最良の形態】
【００３０】
以下、本発明の一実施形態に係る複写機１について図面を参照して説明する。
【００３１】
図１は、本発明の一実施形態に係る複写機１を示す図である。
【００３２】
複写機１は、複写を行う原稿の画像を読み取る画像読取部１００と、記録紙Ｐを備えられた給紙部２００と、給紙部２００から延びる記録紙Ｐの搬送経路２００ｔと、搬送経路２００ｔ上に設けられて、搬送される記録紙Ｐに対して上述の画像読取部１００により読み取られた画像を形成する画像形成部３００と、画像形成部３００よりも搬送経路２００ｔにおける下流側に設けられて、記録紙Ｐに対して形成された画像の定着処理を行う定着装置４００と、定着装置４００により画像が定着された記録紙Ｐが排出される排出部５００と、これらの各構成を制御する制御装置が設けられた制御部６００とを有する。
【００３３】
図２は、図１において搬送経路２００ｔ上にあることを示していた定着装置４００の構成を示す図である。図２に「通紙方向」として示す矢印は、図１において搬送経路２００ｔ上を記録紙Ｐが図中の下から上へと進む方向に対応する「通紙方向」を示す矢印であり、図１の下から上へと進むこの「通紙方向」を、図２では右から左へと進む方向として、視点位置を回転させて、図２では図示を行うものとしている。
【００３４】
定着装置４００は、図２に示すように、次の構成を備える。すなわち、定着ローラ４１０と、ＩＨ（Ｉｎｄｕｃｔｉｏｎ  Ｈｅａｔｉｎｇ）コイル４１１と、温度センサ４１３と、配線４３０と、第一の接点４３１と、第二の接点４３２と、ラック部４１５と、ストッパ４１６と、バネ４１５ｐと、加圧ローラ４２０と、ギア４２０ｇとを備える。なお、接点４３１，４３２は、配線４３０上にけるスイッチ４３０ｓを構成する。
【００３５】
定着ローラ４１０は、搬送経路２００ｔを搬送されてきた記録紙を加熱する加熱ローラである。
【００３６】
ＩＨコイル４１１は、交流電流が流されることにより、磁束を発生する。この磁束により、定着ローラ４１０に渦電流が発生し（電磁誘導）、この渦電流が生じるジュール熱によって定着ローラ４１０周面におけるＩＨコイル４１１の近傍が発熱する。定着ローラ４１０は、渦電流が生じるように、一部または全部が磁性金属部材によって構成されている。
【００３７】
加圧ローラ４２０は、搬送経路２００ｔを挟んで、上述の定着ローラ４１０と対向する位置に設けられていて、下方から定着ローラ４１０へと搬送経路２００ｔを流れる記録紙を挟んで圧接することにより、定着ローラ４１０へと記録紙を押し付ける。これら定着ローラ４１０と加圧ローラ４２０とは、図示しないモータによって回転駆動され、連動して回転することにより、間に挟まれた記録紙を搬送経路２００ｔの通紙方向（矢印により図示）へと移動させる。
【００３８】
なお、ＩＨコイル４１１に設けられる、コイルが巻きつけられるコイルガイドや、フェライト等の強磁性体よりなる励磁コイルコアについては、本明細書では説明を省略する。
【００３９】
ＩＨコイル４１１の近くに設けられる部材の少なくとも一部は、ＩＨコイル４１１によって生じさせられる不要な電波を吸収する材料によって構成されていることが好ましい。たとえば、誘電率が高い部材によって構成されていてもよい（図５のＩＨコイル８１１の近傍において同様）。
【００４０】
温度センサ４１３は、定着ローラ４１０の温度を検出するセンサである。温度センサ４１３は、加熱領域４１０ｒの近傍で加熱された直後における加熱が行われた定着ローラ４１０の箇所の温度を検出する。これにより、ＩＨコイル４１１からの誘導加熱によりどの程度の温度へとその箇所が昇温されたかが検知される。後で図３を参照して説明するように、この検知結果に基づいてＩＨ制御部７０４（図３）により、ＩＨコイル４１１に流される電流は制御される。
【００４１】
配線４３０は、ＩＨコイル４１１へと高周波の交流電流を供給する。
【００４２】
第一接点４３１と第二接点４３２とは、配線４３０上に設けられていて、一対となって、スイッチ４３０ｓを構成する。これら第一接点４３１と第二接点４３２とが接触されていれば、ＩＨコイル４１１は高周波電流の供給を受けて磁束を発生させ、これによって定着ローラ４１０の加熱が行われる。そして、逆に、第一接点４３１と第二接点４３２とが接触されていなければ、ＩＨコイル４１１は磁束を発生させず、したがって、定着ローラ４１０の加熱は停止される。
【００４３】
このような、第一接点４３１と第二接点４３２とが構成するスイッチ４３０ｓのオン状態およびオフ状態の切り替えが、ラック部４１５と、バネ４１５ｐと、ストッパ４１６とギア４２０ｇとにより行われる。これにより、上述した温度センサ４１３による制御とは別途、独立して、ＩＨコイル４１１による誘導加熱処理は、スイッチ４３０ｓの状態切り替えにより制御される。なお、ラック部４１５等の各構成のことについては、後で詳しく説明する。
【００４４】
図３は、ＩＨコイル４１１、スイッチ４３０ｓ、温度センサ４１３等の電気的な接続関係を示す図である。図３に示す構成により、磁束を発生するための適切な高周波の交流電流がＩＨコイル４１１へと流される。
【００４５】
電源７０１が供給する交流電流は、整流回路７０２により整流されたのちに、整流された電流が高周波ＯＮ／ＯＦＦ回路７０３へと流される。そして、この高周波ＯＮ／ＯＦＦ回路７０３が高周波の交流電流を生成して、ＩＨコイル４１１へとこれを流させる。
【００４６】
ＩＨ制御部７０４は、高周波ＯＮ／ＯＦＦ回路７０３の動作を制御する。ＩＨコイル４１１により誘導加熱される定着ローラ４１０の温度が温度センサ４１３により検知されると（図２参照）、検知信号がＩＨ制御部７０４へと入力されて、ＩＨ制御部７０４はこの検知信号に基づいて高周波ＯＮ／ＯＦＦ回路７０３を制御する。ＩＨ制御部７０４は、電源７０１の電圧に基づいて基準電圧電源７０６が出力する基準電圧（安定して定常的に一定の電圧にされる）と、温度センサ４１３から取得した検知信号の電圧とを比較することにより、定着ローラ４１０の温度を精度よく特定し、高周波ＯＮ／ＯＦＦ回路７０３の制御を行う。また、ＩＨ制御部７０４は、整流回路７０２が出力する整流済みの電気の電圧を検出する電圧検出部７０５からも検出信号を取得し、整流回路７０２が高周波ＯＮ／ＯＦＦ回路７０３へと印加する電圧をこの信号に基づいて正確に検知して、検知される印加電圧に応じて高周波ＯＮ／ＯＦＦ回路７０３の制御を行う。こうして、ＩＨ制御部７０４は、高周波ＯＮ／ＯＦＦ回路７０３を、温度センサ４１３と電圧検出部７０５とが出力する検出信号に基づいて制御する。
【００４７】
なお、ＩＨ制御部７０４は、図１に示した制御部６００とは別に構成された情報処理装置であってもよいし、制御部６００の一部に構成された情報処理装置であってもよいし、また、制御部６００がソフトウェアを実行することによって実現する機能ブロックの１つとしてＩＨ制御部７０４は実現されていてもよい。
【００４８】
たとえば、高周波ＯＮ／ＯＦＦ回路７０３は、ＩＨ制御部７０４から制御されることにより、高周波の交流電流出力をＯＮしたりＯＦＦしたりする期間の比率を変えて、単位時間あたりにコイル４１１が生成する磁束の大きさを変化させる。
【００４９】
そして、高周波ＯＮ／ＯＦＦ回路７０３と、ＩＨコイル４１１との間に、前述したスイッチ４３０ｓは設けられている（図２参照）。なお、図３においては、上述したスイッチ４３０ｓを構成する２つの接点４３１，４３２は図示の便宜上から示していない。このスイッチ４３０ｓがオン状態とオフ状態とに切り替わることで、ＩＨコイル４１１は磁束を発生させたり、発生させないようになったりする。
【００５０】
次に、図２に戻って、スイッチ４３０ｓに対してラック部４１５等によりオン状態とオフ状態との切り替えが行われることについて、説明する。
【００５１】
何らかの原因で定着ローラ４１０が停止してしまった場合、定着ローラ４１０各部のうちでＩＨコイル４１１から誘導加熱を受けている部分（加熱領域４１０ｒの近傍に位置する部分）の温度が過度に上昇しても、熱が伝達するある程度の時間が経過した後でなければ、その熱が温度センサ４１３まで伝わらない。このため、温度センサ４１３の検出結果に基づいて加熱領域４１０ｒでの過昇温をＩＨ制御部７０４等によって的確に防ぐことは困難である。また、このＩＨ制御部７０４等が動作不良を起こす可能性などもあるので、温度センサ４１３の温度検出結果に基づいてＩＨ制御部７０４等によりＩＨコイル４１１への通電を切るようにした場合、動作の信頼性が低く、確実に過昇温を防ぐことはできない。
【００５２】
そこで、この定着装置４００においては、以下で説明するように、定着ローラ４１０が停止した場合には、定着ローラ４１０に連動するラック部４１５等の働きにより、直接、機械的にスイッチ４３０ｓがオフ状態へと切り替えられることでＩＨコイル４１１への通電が切られるようになっている。
【００５３】
図２に示すように、ラック部４１５は、接点４３１が左端に取り付けられているとともに、加圧ローラ４２０に設けられたギア４２０ｇに嵌合するラックが右端に形成されている。そして、略中央部で軸支されており、ラック部４１５は、この軸支される軸を回転軸として回転することができる。ラック部４１５は、定着ローラ４１０が回転し、したがって加圧ローラ４２０が回転するときに、ギア４２０ｇよりトルクを受ける。
【００５４】
第一接点４３１は、ラック部４１５の左端に設けられた接点であり、配線４３０を介して図３に示した高周波ＯＮ／ＯＦＦ回路７０３へと電気的に接続されている。この第一接点４３１は、第一接点４３１が設けてあるラック部４１５の姿勢に応じて、他方の第二の接点４３２に接触してスイッチ４３０ｓをオン状態にしたり、第二の接点４３２から離れて、スイッチ４３０ｓをオフ状態にしたりする。
【００５５】
他方の第二接点４３２は、定着装置４００に固定されてあり、配線４３０によってＩＨコイル４１１へと接続されている。
【００５６】
ストッパ４１６は、第一接点４３１が他方の第二接点４３２に当接すると同時に、ラック部４１５が有する突出部（図略）が当接する部材であり、定着装置４００に比較的堅固に固定してある。ラック部４１５は、このストッパ４１６に当接することで、確実に停止する。このようにラック部４１５がストッパ４１６に当接して停止することで、接点４３１や４３２が設けられた位置が簡単にズレてしまったりすることがないようにされている。
【００５７】
バネ４１５ｐは、常時、ラック部４１５を、第二接点４３２から第一接点４３１を離す方向に付勢するバネである。
【００５８】
加圧ローラ４２０に設けられて、ラック部４１５の右端に設けられたラックに嵌合するギア４２０ｇは、加圧ローラ４２０のその他の部分（以下、本体部分と呼ぶ）とともに左回り（反時計方向回り）に回転し、これによって、ラック部４１５を右回り（時計回り）に回転することで、第一接点４３１を他方の第二接点４３２へと近づく方向（図２における下から上への方向）に、バネ４１５ｐのバネ力に抗しつつ、移動させる。
【００５９】
そして、ギア４２０ｇは、加圧ローラ４２０の本体部分との間にトルクリミッタおよびワンウェイクラッチを有し、これらを介して加圧ローラ４２０の本体と連結されている。
【００６０】
なお、このように、トルクリミッタとワンウェイクラッチとを加圧ローラ４２０側に設けるのではなく、ラック部４１５の側に設ける構成も採ることができ、そのような構成については後で詳しく説明する。また、これも後で詳しく説明するように、ワンウェイクラッチおよびトルクリミッタのうち一方または両方を用いない構成を採ることもできる。
【００６１】
トルクリミッタは、加圧ローラ４２０本体の回転をギア４２０ｇに伝えさせるとともに、もしもギア４２０ｇを回転しないように押さえたときには、加圧ローラ４２０本体が回転したままでギア４２０ｇだけが停止することができるように、ギア４２０ｇを加圧ローラ４２０本体から機械的に切り離す。このときには、加圧ローラ４２０本体は、予め定まったトルクリミッタに設定されたトルクを継続してギア４２０ｇに与えるようにして、ギア４２０ｇへと与えられるトルクを制限する。トルクリミッタはこのような機能を奏する。
【００６２】
なお、トルクリミッタは、ラック部４１５を軸支する軸とラック部４１５との間に設けても、ギア４２０ｇの回転が第一接点４３１の変位に伝達されることを遮断することはないため、必ずしも適切ではないが、上でも述べたように、トルクリミッタは後述のようにすればラック部４１５の側に設けるものとすることもできるなど、設ける箇所はさまざまに選ぶことができる。
【００６３】
他方、ワンウェイクラッチは、加圧ローラ４２０本体からギア４２０ｇへのトルク伝達を許容する一方で、逆にギア４２０ｇから加圧ローラ４２０へはトルクが伝達されないようにする。このようなワンウェイクラッチがあることにより、加圧ローラ４２０本体が回転を停止して、加圧ローラ４２０本体がギア４２０ｇにトルクを与えないときに、ギア４２０ｇを回転しても、ギア４２０ｇは加圧ローラ４２０本体を回転させることができず、ギア４２０ｇは空転する。このように空転する場合、加圧ローラ４２０（および定着ローラ４１０等）とともに回転するよりもギア４２０ｇを著しく容易に回転させることができる。加圧ローラ４２０等の重量や加圧ローラ４２０等の回転軸で生じる摩擦などが生む抗力によって、ギア４２０ｇの回転が妨げられないようになるためである。このため、加圧ローラ４２０本体が停止している場合にのみ、ギア４２０ｇおよびラック部４１５をバネ４１５ｐは駆動して、動かすことができる。
【００６４】
なお、ワンウェイクラッチは、ラック部４１５を軸支する軸とラック部４１５との間に設けても、第一接点４３１をギア４２０ｇに対して容易に移動させることができるようにはしないので、必ずしもこの箇所に設けることは適切ではないが、上でも述べたように、ワンウェイクラッチは後述のようにしてラック部４１５の側に設けるものとすることもできるなど、設ける箇所はさまざまに選ぶことができる。
【００６５】
このような構成を有する機構によって、どのようにして定着装置４００のスイッチ４３０ｓで状態が切り替わるかを、次に説明する。
【００６６】
定着ローラ４１０が停止しており、したがって、加圧ローラ４２０が停止しているときは、バネ４１５ｐにより接点４３１は他方の接点４３２から離された状態とされている。このときには、ギア４２０ｇと加圧ローラ４２０本体との間にあるワンウェイクラッチの働きにより、ギア４２０ｇを回転させても加圧ローラ４２０本体は回転せず、ギア４２０ｇは軽く回転させることができるため、バネ４１５ｐは、ラック部４１５を左回りに回転させ、したがってギア４２０ｇを右回りに回転させて、容易に第一の接点４３１を第二の接点４３２から離して、スイッチ４３０ｓをオフ状態とすることができる。
【００６７】
そして、定着ローラ４１０が回転開始されて、加圧ローラ４２０が回転開始されたときには、第一接点４３１が他方の第二接点まで、ギア４２０ｇが回転することにより、移動される。このときには、加圧ローラ４２０本体からギア４２０ｇへとトルクが伝達されるときであるため、ワンウェイクラッチは効かず、加圧ローラ４２０本体がギア４２０ｇを左回りに回転させ、したがって、ラック部４１５を右回りに回転させて、第一接点４３１を第二接点４３２へと近づける。
【００６８】
第一接点４３１が第二接点４３２へと到達し、ラック部４１５の突出部がストッパ４１６へと当接すると、このとき当接によって、ラック部４１５側へと与えられる抗力が、ラック部４１５からギア４２０ｇへ伝わり、ギア４２０ｇを押え付けることとなり、この結果、上述のようにギア４２０ｇと加圧ローラ４２０本体との間にあるトルクリミッタが効くようになり、したがって、ギア４２０ｇは加圧ローラ４２０に対して空転するようになる。このときには、前述したトルクリミッタの設定トルクをギア４２０ｇは加圧ローラ４２０本体から継続して受け、このトルクがラック部４１５を介して第一接点４３１へと伝えられて、第一接点４３１を他方の第二接点４３２へと押圧する。このように、トルクリミッタにより、加圧ローラ４２０本体の回転力から、第一接点４３１を他方の第二接点４３２へと押圧する押圧力が生成される。
【００６９】
これにより、第一接点４３１が第二接点４３２へと到達すると、第一接点４３１は第二接点４３２に当接する位置で停止して、かつ、ギア４２０ｇよりラック部４１５を介して受ける一定のトルクにより第二接点４３２へと押し付けられることで、そこに固定される。
【００７０】
こうして、スイッチ４３０ｓはオン状態となり、その状態を維持し、ラック部４１５およびギア４２０ｇは停止したままで、定着ローラ４１０や加圧ローラ本体のみが回転を続ける。
【００７１】
以上の動作がされることにより、定着ローラ４１０が回転を開始すると、スイッチ４３０ｓを通してＩＨコイル４１１へ通電を行い、ＩＨコイル４１１に誘導加熱を行わせることができるようになるとともに、定着ローラ４１０が回転している間はスイッチ４３０ｓはオン状態を維持するので、その間は、継続してこのように誘導加熱を行うことができる。
【００７２】
他方、何らかの原因により、定着ローラ４１０が停止されると、次のようにして、第一接点４３１は第二接点４３２の位置を離れて、誘導加熱は自動的に停止する。
【００７３】
定着ローラ４１０が何らかの原因により停止されると、このときには、加圧ローラ４２０本体の回転も停止する。そして、加圧ローラ４２０本体の回転が停止して、加圧ローラ４２０本体から、ギア４２０ｇとの間にあるワンウェイクラッチへとトルクが加えられなくなると、加圧ローラ４２０の本体に対してギア４２０ｇが独立して自由に回転することができる状態、言い換えれば、クラッチが効いた状態になり、この結果、加圧ローラ４２０の本体が停止したままギア４２０ｇを右回りに容易に回転させつつ、ラック部４１５をバネ４１５ｐが左回り方向に回転させて、第一接点４３１を第二接点４３２から離れさせる。
【００７４】
こうして、定着ローラ４１０が停止すると、これに応じて、第一接点４３１が第二接点４３２から離脱されて、スイッチ４３０ｓはオフ状態へと切り替わる。
【００７５】
これにより、加熱領域４１０ｒに定着ローラ４１０の一定の部分が継続して停留し続けるにも拘らず、その部分が誘導加熱されることは回避され、したがって過加熱が生じることが防がれる。
【００７６】
このように、複写機１においては、熱ローラ（定着ローラ４１０）と、前記熱ローラとともに回転する圧ローラ（加圧ローラ４２０）と、前記熱ローラの周面の一部を電磁誘導により加熱する加熱手段（ＩＨコイル４１１）と、前記加熱手段に電力を供給する電力線（配線４３０）上に設けられ、当該電力線が前記加熱手段に電力を供給するか否かを切り替えるスイッチ（スイッチ４３０ｓ）と、前記熱ローラ又は前記圧ローラの少なくとも一方が回転を停止したときに前記スイッチを切り替えて、前記加熱手段への電力供給を停止させる切替機構（ギア４２０ｇ、ワンウェイクラッチ、トルクリミッタ、ラック部４１５、バネ４１５ｐ）とが備えられており、これによって、簡単な装置構成で、容易に、かつ確実に過昇温を防ぐことができる定着装置（定着装置４００）およびかかる定着装置を有する画像形成装置（複写機１）が提供される。
【００７７】
なお、この定着装置４００では、定着ローラ４１０内部に加熱手段を内蔵させる構成を採っているので、上述した説明における遮蔽部材や、この遮蔽部材ないしは加熱手段を移動させる変位機構を定着装置４００に設けることは事実上不可能であるが、上述の構成として、回転体内部に加熱手段を内蔵させる構成を採っているにも拘らず、機械的で直接的な動作によりスイッチをオフ状態にして確実に過昇温を防ぐことができる。
【００７８】
また、この定着装置４００では、定着ローラ４００でも、加圧ローラ４２０でもなく、加圧ローラ４２０に対して機械的に接続されて、加圧ローラ４２０と連動するラック部４３１上に第一接点４３１が設けられて、このラック部４３１によりスイッチ４３０ｓのオン状態およびオフ状態が切り替わるようにされている。このようにすることで、スイッチ４３０ｓを、定着ローラ４００や加圧ローラ４２０から離れた位置に設けることができるようになり、配線４３０がこれらの部材に巻き込まれることを回避できるなど、装置の信頼性を向上させることができる。
【００７９】
次に、本実施例の変形例について説明する。
【００８０】
（Ａ）トルクリミッタとワンウェイクラッチとを、加圧ローラ４２０の側ではなく、ラック部４１５の側に設ける場合について以下に説明する。
【００８１】
図４は、第一接点４３１を保持する保持部材９１５ｂとギア９１５ａとを備える動力伝達部９１５を示す図である。上述の説明におけるラック部４１５に代えて、この動力伝達部９１５を設けることとし、この動力伝達部９１５において保持部材９１５ｂとギア９１５ａとの間がトルクリミッタおよびワンウェイクラッチにより連結されているものとする。この動力伝達部９１５において、保持部材９１５ｂとギア９１５ａと、トルクリミッタおよびワンウェイクラッチとは、共通の軸によって軸支される。なお、この動力伝達部９１５にはラックを右端などに設けていない。
【００８２】
他方、加圧ローラ４２０側のギア４２０ｇは、トルクリミッタやワンウェイクラッチを介さずに直接、加圧ローラ４２０本体に固定されているものとする。そして、このように加圧ローラ４２０に固定されたギア４２０ｇに対して、他方の動力伝達部９１５に設けられたギア９１５ａは嵌合している。
【００８３】
図４の構成においてトルクリミッタは、ギア９１５ａの回転を保持部材９１５ｂに伝えさせるとともに、もしも保持部材９１５ｂを回転しないように押さえたときには、ギア９１５ａが回転したままで保持部材９１５ｂだけが停止することができるように、保持部材９１５ｂをギア９１５ａから機械的に切り離す。このときには、ギア９１５ａは、予め定まったトルクリミッタに設定されたトルクを継続して保持部材９１５ｂに与える。
【００８４】
他方、ワンウェイクラッチは、ギア９１５ａから保持部材９１５ｂへのトルク伝達を許容する一方で、逆に保持部材９１５ｂからギア９１５ａへはトルクが伝達されないようにする。このため、ギア９１５ａが回転を停止して、ギア９１５ａが保持部材９１５ｂにトルクを与えないときに、保持部材９１５ｂを回転させても、保持部材９１５ｂはギア９１５ａを回転させることができず、保持部材９１５ｂは空転する。このように空転する場合、保持部材９１５ｂ（および加圧ローラ４２０、定着ローラ４１０等）とともに回転するよりもギア９１５ａを著しく容易に回転させることができる。このため、ギア９１５ａが停止している場合にのみ、保持部材９１５ｂをバネ４１５ｐは駆動して、動かすことができる。
【００８５】
以上の説明から明らかなように、図４の構成において、保持部材９１５ｂおよびギア９１５ａは、上述の説明において図２に示したギア４２０ｇおよび加圧ローラ４２０に相当する。
【００８６】
このような構成においては、スイッチ４３０ｓのオン状態およびオフ状態が、定着ローラ４１０が回転しているか否かに応じて次のように切り替わる。
【００８７】
すなわち、まず、定着ローラ４１０が停止しており、したがって加圧ローラ４２０が停止しているときには、バネ４１５ｐのバネ力により、第二接点４３２から第一接点４３１が離脱させられており、スイッチ４３０ｓはオフ状態にされる。
【００８８】
そして、定着ローラ４１０が（右回りに）回転して、加圧ローラ４２０が左回りに回転すると、ギア９１５ａおよび保持部材９１５ｂが一体となって右回り方向に回転して、保持部材９１５ｂに設けられた第一接点４３１が第二接点４３２側へと移動する。そして、第一接点４３１が第二接点４３２へと当接し、これと同時に、保持部材９１５ｂが有する突出部がストッパ４１６に当接すると、上述のトルクリミッタが効くようになり、ギア９１５ａの回転は保持部材９１５ｂには伝わらず、単にギア９１５ａは一定のトルクを保持部材９１５ｂに与えつつ空転して、保持部材９１５ｂは停止するようになる。こうして、保持部材９１５ｂにギア９１５ａが与えるトルクにより、第二接点４３２に当接した第一接点４３１は継続して第二接点４３２側へとそのトルクで押圧されて、その位置に固定される。
【００８９】
こうして、定着ローラ４１０が回転され、したがって加圧ローラ４２０が回転されると、スイッチ４３０ｓはオン状態になる。
【００９０】
そして、定着ローラ４１０が回転している間は、加圧ローラ４２０に固定されたギア４２０ｇと、このギア４２０ｇに嵌合する他方のギア９１５ａとは回転するものの、保持部材９１５ｂ（および第一接点４３１）は、当該第一接点４３１が他方の接点４３２へと当接した状態で停止し続けて、これによりスイッチ４３０ｓはオン状態に固定される。
【００９１】
そして、何らかの理由によって定着ローラ４１０が停止されたときには、同時に、加圧ローラ４２０も停止し、これにより、加圧ローラ４２０からギア４２０ｇを経てギア９１５ａへと回転トルクが与えられないようになることで、ギア９１５ａと保持部材９１５ｂとの間に設けられたワンウェイクラッチが効くようになり、第二接点４３２から第一接点４３１を離れさせるようにバネ４１５ｐが左回りに保持部材９１５ｂを、２つのギア９１５ａおよび４２０ｇが停止したままで、回転させる。このため、第一接点４３１が第二接点４３２の位置から離脱されて、これにより、スイッチ４３０ｓがオフ状態へと切り替わる。
【００９２】
このように、前記熱ローラ又は前記圧ローラの少なくとも一方が回転を停止したときに前記スイッチを切り替えて、前記加熱手段への電力供給を停止させる切替機構を構成しても、簡単な装置構成で、容易にかつ確実に過昇温を防ぐことができる。
【００９３】
そして、かかる構成であれば、定着ローラ近傍の構成を簡単にすることができ、バランスのよい装置構成を実現することができるようになる。なお、逆に図２で示した構成であれば、回転駆動に関わる駆動機構を定着ローラ近傍に集約させることにより装置構成を単純にすることができる。
【００９４】
（Ｂ）上述の各説明においては、いずれも、定着ローラによって記録紙を加熱していたが、かかる場合に限定されることはなく、たとえば次のように、２つの回転体８１０ａ，８１０ｂの間に掛け渡した定着ベルト８１０により、記録紙への加熱処理を行うものとしてもよい。
【００９５】
図５は、定着ベルト８１０により記録紙を加熱する定着装置８００を示す図である。
【００９６】
図２や図４の場合の場合には定着ローラ４１０へと加圧ローラ４２０は圧接していたのに対して、この図５に示した定着装置８００においては、回転体８１０ａにかけられた定着ベルト８１０へと加圧ローラ８２０は圧接する。定着ベルト８１０は、回転体８１０ａと、もう一方の回転体８１０ｂとの間に掛け渡されてあり、２つの回転体８１０ａ，８１０ｂが回転するにつれて、２つの回転体８１０ａ，８１０ｂの周りを回転しながら、２つの回転体８１０ａ、８１０ｂの箇所を順番に通過する。
【００９７】
回転体８１０ａと、回転体８１０ｂと、加圧ローラ８２０とは、連動されており、これら回転体８１０ａ等が連動して回転することによって記録紙は図示する通紙方向へと移動する。
【００９８】
定着ベルト８１０は無端ベルトであり、回転体８１０ｂにおける領域８１１ｒで、当該領域８１１ｒを通過する定着ベルト８１０の部分に熱が与えられて、これにより、領域８１１ｒで加熱された部分がその後に他方の回転体８１０ａ側における加熱領域８１０ｒを通過するときに、与えられた熱を記録紙の各箇所へと伝えさせる。
【００９９】
かかる定着装置８００においては、ＩＨコイル８１１は、回転体８１０ｂにおける先ほどの領域８１１ｒ近傍に設けられている。これにより、領域８１１ｒを通過する回転体８１０ｂの箇所が発熱されて、発熱した熱が当該箇所を通過する定着ベルト８１０の各部分に与えられる。回転体８１０ｂの全部または一部は、渦電流が生じることができるように、磁性金属部材によって構成されている。
【０１００】
温度センサ８１３は、定着ベルト８１０に熱が与えられる領域８１１ｒの下流側、直近に設けられ、領域８１１ｒで昇温された直後の定着ベルト８１０の部分の温度を検出する（上述の説明における温度センサ４１３の場合と同様）。
【０１０１】
そして、かかる定着装置８００においても、図２に示した定着装置４００と同様に、配線８３０と、第一接点８３１と、第二接点８３２と、ラック部８１５と、ストッパ８１６と、バネ８１５ｐと、ギア８２０ｇとが設けられている。
【０１０２】
これにより、図２で説明した場合と同様にして、回転体８１０ａ，８１０ｂおよび加圧ローラ８２０が回転している間のみ、ＩＨコイル８１１にスイッチ８３０ｓを通して電流が流され、何らかの原因で回転が停止した場合にはスイッチ８３０ｓはオフ状態にされて、ＩＨコイル８１１への電流は停められる。
【０１０３】
こうして、定着装置８００は、熱ローラ（回転体）と、前記熱ローラとともに回転する圧ローラ（加圧ローラ８２０）と、前記熱ローラの周面の一部を電磁誘導により加熱する加熱手段（ＩＨコイル８１１）と、前記加熱手段に電力を供給する電力線（配線８３０）上に設けられ、当該電力線が前記加熱手段に電力を供給するか否かを切り替えるスイッチ（スイッチ８３０ｓ）と、前記圧ローラが回転を停止したときに前記スイッチを切り替えて、前記加熱手段への電力供給を停止させる切替機構（ギア８２０ｇ、ワンウェイクラッチ、トルクリミッタ、ラック部８１５、バネ８１５ｐ）とを備えており、これによって、簡単な装置構成で、容易にかつ確実に過昇温を防ぐことができる。
【０１０４】
なお、このように定着ベルト８１０によって記録紙へと加熱処理を施す構成を採る場合においても、図４で示した構成のように、加圧ローラ８２０にワンウェイクラッチおよびトルクリミッタは設けず代わりにラック部８１５に代わる接点８３１を保持する保持部材およびギアより構成される動力伝達部（図４の動力伝達部９１５参照）を設けて、かつ、その保持部材およびギアをワンウェイクラッチおよびトルクリミッタを介して接続するものとして、定着装置を構成するものとしてもよい。
【０１０５】
（Ｃ）ワンウェイクラッチおよびトルクリミッタのうち一方または両方を用いない構成を採るものとしてもよい。たとえば、トルクリミッタを用いない構成として、次のような構成をとるものとしてもよい。
【０１０６】
図２の定着装置４００においては、ラック部４１５とギア４２０ｇとにギアの歯を設けて互いに嵌合するようにしていたが、両部材が相手方に当接する面をそれぞれ滑らかな面として、両部材は単に摩擦によって回転力を伝え合うものに過ぎないようにする。
【０１０７】
このときには、ラック部４１５（すでにラックは形成されていないので、以後、単に「動力伝達部材」と呼ぶ）が右回り方向に回転して、第一接点４３１が他方の第二接点４３２へと接触し、すなわち動力伝達部（４１５）が有する突出部がストッパ４１６に当接するようになったときには、動力伝達部材（４１５）および加圧ローラ４２０のギア４２０ｇ（すでにギアの「歯」が形成されないようになっているので、以後、単に「回転体」と呼ぶ）の間の摩擦力が最大静止摩擦力を超えて、当接面が滑ることにより、回転体（４２０ｇ）は空転し、その回転が動力伝達部材（４１５）へと伝わらないようになる。その程度の摩擦力しか生じないように両部材（４１５および４２０ｇ）の表面はある程度、滑らかなものにされる。
【０１０８】
これにより、加圧ローラ４２０（および加圧ローラ４２０のギア４２０ｇ）は回転するとともに、動力伝達部材（４１５）は停止し、したがって第一接点４３１も停止した状態で、以後、定着ローラ４１０および加圧ローラ４２０が回転している間は、スイッチ４３０ｓはオン状態を維持する。回転体（４２０ｇ）は動力伝達部材（４１５）に擦れて、これに一定のトルク（動摩擦力）を与え続けるので、これにより、接点４３１は他方の接点４３２へと押し付けられて、その位置に固定される。
【０１０９】
そして、紙詰まりなどにより定着ローラ４１０および加圧ローラ４２０が回転を停止した場合は、加圧ローラ４２０本体から、回転体（４２０ｇ）との間にあるワンウェイクラッチへのトルクがなくなり、このワンウェイクラッチが効き始めることで、加圧ローラ４２０本体と独立して、動力伝達部材（４１５）およびギア４２０ｇは回動できるようになり、この結果、バネ４１５ｐの付勢力によって、動力伝達部材（４１５）が左回りに、ギア４２０ｇは逆の右回りにそれぞれ回転されて、これにより接点４３１が移動することにより、スイッチ４３０ｓはオフ状態へと切り替わる。
【０１１０】
なお、定着ローラ４１０により記録紙へと加熱処理を施す場合（図２の定着装置４００の場合）を例にとって説明したが、図５の定着装置８００のように定着ベルト８１０により記録紙への加熱処理を行う場合においても、このように、摩擦により動力の伝達がされて、トルクリミッタは設けない構成を採ることができる。
【０１１１】
（Ｄ）上述の説明においては、バネ（図２のバネ４１５ｐ、図５のバネ８１５ｐ）を用いていたが、このような弾性体を用いるものとしてもよいし、かかる弾性体に代えて、磁石を用いるものとしてもよい。すなわち、磁石により、図２のラック部４１５や、図４の保持部材９１５ｂや、図５のラック部８１５は、それぞれ付勢されるものとしてもよい。このようにすれば、図２のラック部４１５等はその性質上、酷使されるものであり長期間にわたって著しく多くの回数、駆動されるものであるにも関わらず、バネ等の弾性体を用いる場合と比べて、耐久性を向上させて、故障が起き難く確実に動作するようにさせることができる。ここで、図２のバネ４１５ｐ等が弾性を失ったりするときには、誘導加熱をオフできず、したがって、過昇温が生じるという大きな問題が生じる。図２のバネ４１５ｐ等を磁石に変える上述の技術によれば、かかる大きな問題を回避することができる。
【０１１２】
（Ｅ）上述の実施形態の説明では、画像形成装置として複写機を例にとって説明を行ったが、かかる場合に本発明は限定されることはなく、本発明は、ファックスとしても、プリンタとしても、いわゆる複合機としても実施することができる。
【０１１３】
（Ｆ）スイッチ４３０ｓおよび８３０ｓは、直接には、加圧ローラ４２０，８２０に連動しており、加圧ローラ４２０，８２０を介してそれぞれ定着ローラ４１０および回転体８１０ｂに連動しているが、このような構成に限定されることはない。たとえば、直接、定着ローラ４１０および回転体８１０ｂに連動されていてもよい。たとえば、図２における加圧ローラ４２０に設けられたギア４２０ｇ（およびワンウェイクラッチ、トルクリミッタ）に相当する構成を、加圧ローラ４２０にではなく、定着ローラ４１０の方に設けるものとして、定着ローラ４１０に設けたギア４２０ｇに相当するギアと、他方のラック部４１５のラックとが嵌合するようにして定着装置を構成するものとしてもよい。また、さらには、動作が確実になるように、定着ローラ４１０および加圧ローラ４２０の両方にラック部４１５が機械的に直接、連結してある構成を採るものとしてもよい。
【図面の簡単な説明】
【０１１４】
【図１】本発明の一実施形態に係る複写機１を示す図である。
【図２】定着装置４００の構成を示す図である。
【図３】ＩＨコイル４１１、スイッチ４３０ｓ、温度センサ４１３等の電気的な接続関係を示す図である。
【図４】第一接点４３１を保持する保持部材９１５ｂとギア９１５ａとを備える動力伝達部９１５を示す図である。
【図５】定着ベルト８１０により記録紙を加熱する定着装置８００を示す図である。
【符号の説明】
【０１１５】
Ｐ  記録紙
１  複写機
１００  画像読取部
２００  給紙部
２００ｔ  搬送経路
３００  画像形成部
４００  定着装置
４１０  定着ローラ
４１０ｒ  加熱領域
４１１  ＩＨコイル
４１３  温度センサ
４１５  ラック部（動力伝達部）
４１５ｐ  バネ
４１６  ストッパ
４２０  加圧ローラ
４２０ｇ  ギア（回転体）
４３０  配線
４３０ｓ  スイッチ
４３１  第一接点
４３２  第二接点
５００  排出部
６００  制御部
７０１  電源
７０２  整流回路
７０３  高周波ＯＮ／ＯＦＦ回路
７０４  ＩＨ制御部
７０５  電圧検出部
７０６  基準電圧電源
８００  定着装置
８１０  定着ベルト
８１０ａ  回転体
８１０ｂ  回転体
８１０ｒ  加熱領域
８１１  コイル
８１１ｒ  磁束が与えられる領域
８１３  温度センサ
８１５  ラック部
８１５ｐ  バネ
８１６  ストッパ
８２０  加圧ローラ
８２０ｇ  ギア
８３０  配線
８３１  第一接点
８３２  第二接点
９１５  動力伝達部
９１５ａ  ギア
９１５ｂ  第一接点４３１を保持する保持部材
【図１】
2007322674.tif 000003
【図２】
2007322674.tif 000004
【図３】
2007322674.tif 000005
【図４】
2007322674.tif 000006
【図５】
2007322674.tif 000007